(57)【要約】【課題】  構造を複雑にすることなく、簡単な補正目盛を設けることによって、継管を伸ばしたときの誤差を補正し、正確な寸法を測定できる測定杆を提供する。【解決手段】  複数本の異径の継管１Ａ、１Ｂ、１Ｃ…からなり、最下部側の継管１Ａ内に他の継管１Ｂ、１Ｃ…の全てを収納可能とし、継管１Ａの上部側に複数本の継管１Ｂ、１Ｃ…を順次テーパ嵌合で連結する構成とし、継管１Ａに、継管１Ａの長さＳを中央目盛Ｍとする寸法目盛Ｍ＋１cm、Ｍ＋２cm…を目盛Ｍから下方向に設け、目盛Ｍ−１cm、Ｍ−２cm…を目盛Ｍから上方向に設け、目盛Ｍ＋１cm、Ｍ＋２cm…に並列して補正目盛＋１cm、＋２cm…を設け、目盛Ｍ−１cm、Ｍ−２cm…に並列して補正目盛−１cm、−２cm…を設け、他の継管１Ｂ、１Ｃ…の上端から下端近辺にかけて、継管１Ｂ、１Ｃ…の目盛Ｍｂ、Ｍｃ…を設け、目盛Ｍｂ、Ｍｃ…の最下値の下方に補正目盛＋１、＋２…を設けた。【選択図面】    図４
2005181156.tif 000002
【特許請求の範囲】
【請求項１】
複数本の異径の継管（１Ａ、１Ｂ、１Ｃ…）からなり、最下部側の継管（１Ａ）内に他の継管（１Ｂ、１Ｃ…）の全てを収納可能とすると共に、この継管（１Ａ）の上部側に複数本の継管（１Ｂ、１Ｃ…）を順次テーパ嵌合で連結する構成とし、前記最下部側の継管（１Ａ）に、その継管（１Ａ）の長さ（Ｓ）を中央目盛（Ｍ）とする寸法目盛（Ｍ＋１）ｃｍ、（Ｍ＋２）ｃｍ…を中央目盛（Ｍ）から下方向に、寸法目盛（Ｍ−１）ｃｍ、（Ｍ−２）ｃｍ…を中央目盛（Ｍ）から上方向にそれぞれ設け、前記寸法目盛（Ｍ＋１）ｃｍ、（Ｍ＋２）ｃｍ…に並列して正値補正目盛＋１ｃｍ、＋２ｃｍ…を、前記寸法目盛（Ｍ−１）ｃｍ、（Ｍ−２）ｃｍ…に並列して負値補正目盛−１ｃｍ、−２ｃｍ…をそれぞれ設け、他の継管（１Ｂ、１Ｃ…）の上端から下端近辺にかけて、これら継管（１Ｂ、１Ｃ…）の寸法目盛（Ｍｂ、Ｍｃ…）を設けると共に、それら寸法目盛（Ｍｂ、Ｍｃ…）の最下値の下方に補正目盛＋１、＋２…を設けたことを特徴とする測定杆。
【請求項２】
前記継管（１Ａ）の中央目盛（Ｍ）の位置から上下に移動自在として、適宜位置で停止可能とした補助部材（５）を取り付けたことを特徴とする請求項１記載の測定杆。
【発明の詳細な説明】
【技術分野】
【０００１】
この発明は、建物内部における床から天井までの高さや、運搬車の積み荷の高さや、立木の高さ等を簡単に測定することのできる測定杆に関するものである。
【背景技術】
【０００２】
従来、この種の測定杆としては、例えば図１３に示したように、複数本の異径の継管１１Ａ〜１１Ｔからなり、最下部側の継管１１Ａを締付具１２により連結し、上部側に十数本の継管１１Ｂ〜１１Ｔをテーパ嵌合で連結する構成にしている。
【０００３】
各継管１１Ａ〜１１Ｔは、略円筒形のパイプとし、最下部側の継管１１Ａ内に最上部側の継管１１Ｔを含む全てを収納可能な内径としている。
【０００４】
継管１１Ａは、図１４に示すように上端１１ｂに割り溝１１ｄを形成し、次の継管１１Ｂを締付具１２で連結するようにしている。
【０００５】
継管１１Ｂ〜１１Ｔは、テーパ嵌合に形成されるが、図１５に示すように、外側になる継管１１Ｂの上端１１ｅ側を端縁に向けて他の部分よりも漸次厚くし、テーパ面１１ｆを設けている。一方、内側になる継管１１Ｃの下端１１ｇも端縁に向けて他の部分よりも漸次厚くし、テーパ面１１ｈを設けている。このように、両継管１１Ｂ、１１Ｃの端縁をそれぞれテーパ状にしているので、内側になる継管１１Ｃを引き出して伸ばすと、外側になる継管１１Ｂの上端１１ｅに内側となる継管１１Ｃの下端１１ｇが密接し、継管１１Ｂ、１１Ｃ相互が強固に連結されるようにしている。
【０００６】
このように構成される測定杆は、例えば、全長が２０ｍとなるように各継管１１Ａ〜１１Ｔの長さを設定する場合、各継管１１Ｂ〜１１Ｔの長さを１ｍとし、これら１９本を収納するために最下部側の継管１１Ａのみ若干長くしている。
【０００７】
そして、各継管１１Ａ〜１１Ｔのそれぞれに目盛を設けており、最下部側の継管１１Ａの上端円１１ｃ、つまり締付具１２の端縁で引き出した継管の目盛を見て長さを知ることができるようになっている（特許文献１）。
【特許文献１】登録実用新案第３０４５９８３号公報（第６〜８頁、図１、３、５）
【発明の開示】
【発明が解決しようとする課題】
【０００８】
従来の測定杆は、最下部側の継管１１Ａに収納された上部側の十数本の継管１１Ｂ〜１１Ｔを漸次引き出して連結しつつ上方に伸ばして行くと、これら継管１１Ｂ〜１１Ｔは、テーパ嵌合となることから、各連結部に隙間が生じることなく、相互が密接に連結されるので、全ての継管が殆ど曲がることなく真っ直ぐに保つことができる。
【０００９】
しかしながら、従来の測定杆は、継管１１Ｂ〜１１Ｔの端縁にそれぞれ形成したテーパ面の勾配が非常に緩いため、継管１１Ｂ〜１１Ｔを漸次引き出して連結しつつ上方に伸ばして行ったとき、力の入れ具合によって各継管１１Ｂ〜１１Ｔの停止位置にズレが生じ、丁度１ｍ、２ｍ、３ｍ…の位置で停止せず、それぞれにプラスマイナス数ｃｍの誤差が発生することになる。
【００１０】
したがって、従来の測定杆では、前記した誤差が発生することによって正確な寸法を測定することができないという課題を有していた。
【００１１】
そこで、この発明は、上記従来の問題点を解決することをその課題としており、構造を複雑にすることなく、簡単な補正目盛を設けることによって、継管を伸ばして行ったときの誤差を補正することにより、正確な寸法を測定することのできる測定杆を提供することを目的としてなされたものである。
【課題を解決するための手段】
【００１２】
そのため、この発明の測定杆は、複数本の異径の継管１Ａ、１Ｂ、１Ｃ…からなり、最下部側の継管１Ａ内に他の継管１Ｂ、１Ｃ…の全てを収納可能とすると共に、この継管１Ａの上部側に複数本の継管１Ｂ、１Ｃ…を順次テーパ嵌合で連結する構成とし、前記最下部側の継管１Ａに、その継管１Ａの長さＳを中央目盛Ｍとする寸法目盛Ｍ＋１ｃｍ、Ｍ＋２ｃｍ…を中央目盛Ｍから下方向に、寸法目盛Ｍ−１ｃｍ、Ｍ−２ｃｍ…を中央目盛Ｍから上方向にそれぞれ設け、前記寸法目盛Ｍ＋１ｃｍ、Ｍ＋２ｃｍ…に並列して正値補正目盛＋１ｃｍ、＋２ｃｍ…を、前記寸法目盛Ｍ−１ｃｍ、Ｍ−２ｃｍ…に並列して負値補正目盛−１ｃｍ、−２ｃｍ…をそれぞれ設け、他の継管１Ｂ、１Ｃ…の上端から下端近辺にかけて、これら継管１Ｂ、１Ｃ…の寸法目盛Ｍｂ、Ｍｃ…を設けると共に、それら寸法目盛Ｍｂ、Ｍｃ…の最下値の下方に補正目盛＋１、＋２…を設けたものとしている。
【００１３】
さらに、この発明の測定杆は、前記継管１Ａの中央目盛Ｍの位置から上下に移動自在として、適宜位置で停止可能とした補助部材５を取り付けたものとしている。
【発明の効果】
【００１４】
この発明の測定杆は、以上に述べたように構成されているので、構造を複雑にすることなく、簡単な補正目盛を設けることによって、継管を伸ばして行ったときの誤差を補正することにより、正確な寸法を測定することができるものとなった。
【発明を実施するための最良の形態】
【００１５】
以下、この発明の測定杆を実施するための最良の形態を、図面に基づいて詳細に説明する。
【００１６】
この発明の測定杆は、図１〜４に示したように、複数本の異径の継管１Ａ、１Ｂ、１Ｃ…からなり、最下部側の継管１Ａ内に他の継管１Ｂ、１Ｃ…の全てを収納可能とすると共に、この継管１Ａの上部側に複数本の継管１Ｂ、１Ｃ…を順次テーパ嵌合で連結する構成としている。
【００１７】
各継管１Ａ、１Ｂ、１Ｃ…は、略円筒形の合成樹脂製パイプとしており、継管１Ａ、１Ｂ、１Ｃ…の順に太さを細くして行き、前記したように最下部側の継管１Ａ内に他の継管１Ｂ、１Ｃ…の全てを収納可能とすると共に、継管１Ｂ、１Ｃ、１Ｄ…内に、これら継管１Ｂ、１Ｃ、１Ｄ…より細くした継管１Ｃ、１Ｄ、１Ｅ…をそれぞれ挿入可能としている。なお、前記継管１Ａの下端には閉鎖キャップ２が取り付けられており、継管１Ａの下端を常時閉鎖するようにしており、継管１Ａの上端には開閉キャップ３が取り付けられており、継管１Ａの上端を、測定杆の使用時には開放しておき、測定杆の不使用時には閉鎖しておくようにしている。
【００１８】
各継管１Ａ、１Ｂ、１Ｃ…を順次テーパ嵌合で連結するには、図示したように、各継管１Ａ、１Ｂ、１Ｃ…の全体をテーパ管として各継管の上下端Ａ1 、Ａ2 、Ｂ1 、Ｂ2 、Ｃ1 、Ｃ2 …の内面をテーパ形状としている。また、図示していないが、各継管１Ａ、１Ｂ、１Ｃ…の全体を同径管とし、外側になる継管１Ａ…の上端Ａ1 …側を端縁に向けて他の部分より漸次厚くしてテーパ形状とし、内側になる継管１Ｂ…の下端Ｂ2 …を端縁に向けて他の部分より漸次厚くしてテーパ形状としもよい。このように各継管の上下端Ａ1 、Ａ2 、Ｂ1 、Ｂ2 、Ｃ1 、Ｃ2 …の内面をテーパ形状とすることにより、内側になる継管１Ｂ…を引き出して伸ばすと、外側になる継管１Ａ…の上端Ａ1 …に、内側になる継管１Ｂ…の下端Ｂ2 …が密接し、継管１Ａと１Ｂ、継管１Ｂと１Ｃ、…相互が強固に連結されるものとなる。
【００１９】
前記最下部側の継管１Ａの上部位置には、図示したように、その継管１Ａの長さＳを中央目盛Ｍとする寸法目盛Ｍ＋１ｃｍ、Ｍ＋２ｃｍ…を中央目盛Ｍから下方向に、寸法目盛Ｍ−１ｃｍ、Ｍ−２ｃｍ…を中央目盛Ｍから上方向にそれぞれ設けたものとしている。すなわち、図示した継管１Ａの長さＳは１１８ｃｍとしているので、その中央目盛Ｍを１１８ｃｍとする寸法目盛１１９ｃｍ（Ｍ＋１ｃｍ）、１２０ｃｍ（Ｍ＋２ｃｍ）…を１１８ｃｍの中央目盛Ｍから下方向に設け、寸法目盛１１７ｃｍ（Ｍ−１ｃｍ）、１１６ｃｍ（Ｍ−２ｃｍ）…を１１８ｃｍの中央目盛Ｍから上方向に設けたものとしている。
【００２０】
さらに、前記寸法目盛Ｍ＋１ｃｍ、Ｍ＋２ｃｍ…に並列して正値補正目盛＋１ｃｍ、＋２ｃｍ…を、前記寸法目盛Ｍ−１ｃｍ、Ｍ−２ｃｍ…に並列して負値補正目盛−１ｃｍ、−２ｃｍ…をそれぞれ設けたものとしている。すなわち、図示した寸法目盛１１９ｃｍ（Ｍ＋１ｃｍ）、１２０ｃｍ（Ｍ＋２ｃｍ）…に並列して正値補正目盛＋１ｃｍ、＋２ｃｍ…を設け、寸法目盛１１７ｃｍ（Ｍ−１ｃｍ）、１１６ｃｍ（Ｍ−２ｃｍ）…に並列して負値補正目盛−１ｃｍ、−２ｃｍ…を設けたものとしている。
【００２１】
また、他の継管１Ｂ、１Ｃ…の上端から下端近辺にかけては、これら継管１Ｂ、１Ｃ…の寸法目盛Ｍｂ、Ｍｃ…を設けると共に、それら寸法目盛Ｍｂ、Ｍｃ…の最下値の下方に補正目盛＋１、＋２…を設けたものとしている。図示した継管１Ｂ、１Ｃ…の長さは１００ｃｍより少し長めの寸法とし、継管１Ｂ、１Ｃ…には上端から下端近辺にかけて、１ｃｍ毎に１００ｃｍまでの寸法目盛Ｍｂ、Ｍｃ…を設けると共に、１００ｃｍ目の寸法目盛Ｍｂ、Ｍｃ…の下方に補正目盛＋１、＋２…を設けたものとしている。すなわち、前記継管１Ｂ、１Ｃ…の寸法目盛Ｍｂ、Ｍｃ…は、例えば継管１Ｅを最上部側の継管とすると、この継管１Ｅには１〜１００ｃｍまでの寸法目盛Ｍｅを設け、その下部側の継管１Ｄには１０１〜２００ｃｍまでの寸法目盛Ｍｄを設け、その下部側の継管１Ｃには２０１〜３００ｃｍまでの寸法目盛Ｍｃを設け、その下部側の継管１Ｂには３０１〜４００ｃｍまでの寸法目盛Ｍｂを設けるようにしている。なお、前記最上部側の継管継管１Ｅの最上端には、引き出し用の摘体４を設けたものとしている。
【００２２】
さらに、この発明の測定杆は、前記継管１Ａの中央目盛Ｍの位置から上下に移動自在として、適宜位置で停止可能とした補助部材５を取り付けたものとしている。
【００２３】
前記補助部材５は、透明または半透明の柔軟性を有する合成樹脂材からなり、図５に示したように、継管１Ａの外面に沿う形状とした内曲面６ａを有した嵌合体６の側部に、四角形状の平坦面７ａとした記入部７を設けたものとしており、この記入部７の上辺７ｂが継管１Ａの中央目盛Ｍの位置になるようにして、継管１Ａの外面に嵌め込んだ状態にし、使用者が手で動かすことにより上下に移動自在として、適宜位置で停止可能なものにしている。
【００２４】
この発明の測定杆は、以上に述べたように構成されており、例えば５００ｃｍまでの寸法を測定できるようにするには、継管を継管１Ａ、１Ｂ、１Ｃ、１Ｄ、１Ｅからなるものとし、最下部側の継管１Ａの長さを１１８ｃｍとし、他の継管１Ｂ、１Ｃ、１Ｄ、１Ｅの長さを１００ｃｍより少し長めで継管１Ａより短くする。そして、継管１Ｂ、１Ｃ、１Ｄ、１Ｅを引き出して伸ばし、順次テーパ嵌合したこれら継管１Ｂ、１Ｃ、１Ｄ、１Ｅには、上端から下端近辺にかけて、上記したように３０１〜４００ｃｍ、２０１〜３００ｃｍ、１０１〜２００ｃｍ、１〜１００ｃｍまでの寸法目盛Ｍｂ、Ｍｃ、Ｍｄ、Ｍｅを設け、それぞれの１００ｃｍ目の寸法目盛Ｍｂ、Ｍｃ、Ｍｄ、Ｍｅの下方に補正目盛＋１、＋２…を設けたものとする。
【００２５】
このように構成した測定杆を使用して、例えば建物内部における床から天井までの高さを測定するには、次のようにして行う。
【００２６】
先ず、図６に示したように、継管１Ａの下端を床面Ｆに付けて、測定杆を真っ直ぐに起立させ、継管１Ａの上端の開閉キャップ３を開放し、継管１Ｅの摘体４を指で摘んで、この最上部側の継管１Ｅから、１Ｄ、１Ｃ…の順に引き出して伸ばし、順次テーパ嵌合して行き、継管１Ｅの上端が天井面Ｕに接触した時点で継管の引き出しを停止する。この例では、継管１Ｅと１Ｄを引き出して伸ばし、順次テーパ嵌合して行くと、継管１Ｃの引き出し途中で、継管１Ｅの上端が天井面Ｕに接触したので、その時点で継管１Ｃの引き出しを停止させた。
【００２７】
そこで、この継管１Ｃの引き出し停止させた時点での、継管１Ｃの継管１Ａの上端から引き出した目盛Ｍｃを読み取ると、図７、８に示したように、２３１ｃｍであった。そして、継管１Ｅと１Ｄのテーパ嵌合部は、図７、９に示したように、伸ばし過ぎて１００ｃｍを越えその停止位置に＋２ｃｍの誤差が生じていた。さらに、継管１Ｄと１Ｃのテーパ嵌合部は、図７、１０に示したように、伸ばし足らず１９９ｃｍとなりその停止位置に−１ｃｍの誤差が生じていた。したがって、床から天井までの高さは、１１８ｃｍ（継管１Ｅの長さ）＋２３１ｃｍ（継管１Ｃの目盛Ｍｃ）＋２ｃｍ（継管１Ｅと１Ｄのテーパ嵌合部の誤差）−１ｃｍ（継管１Ｄと１Ｃのテーパ嵌合部の誤差）で計算でき、３５０ｃｍとなる。
【００２８】
なお、このような計算をする場合、継管１Ａの中央目盛Ｍの位置に補助部材５を取り付けた測定杆では、前記したように＋２ｃｍの誤差が生じた時に、図１１に示したように、補助部材５を０から＋２の位置に移動させ、さらに前記したように−１ｃｍの誤差が生じ時に、図１２に示したように、前記補助部材５を＋２の位置から＋１の位置に移動させると、全体の誤差が＋１と読み取れる。そして、この＋１の目盛に並列して設けた寸法目盛を読み取れば１１９ｃｍとなっている。したがって、この１１９ｃｍに２３１ｃｍを加えれば、３５０ｃｍとなり、床から天井までの高さが求められる。なお、この場合、補助部材５の記入部７に前記数値を記入して筆算すれば、簡単に計算を行うことができることになる。
【図面の簡単な説明】
【００２９】
【図１】この発明の測定杆の継管を引き出して伸ばした状態を示す全体構成図である。
【図２】この発明の測定杆の最下部側の継管に他の継管を収納した状態を示す側面図である。
【図３】図２に示した状態のこの発明の測定杆の中間省略断面図である。
【図４】この発明の測定杆の一部省略分解図である。
【図５】この発明の測定杆の最下部側の継管と補助部材の詳細図である。
【図６】この発明の測定杆を使用した床から天井までの高さの測定状態を示す説明図である。
【図７】図６に示した状態のこの発明の測定杆の一部省略側面図である。
【図８】図７に矢印Ｘで指した部分の拡大図である。
【図９】図７に矢印Ｙで指した部分の拡大図である。
【図１０】図７に矢印Ｚで指した部分の拡大図である。
【図１１】この発明の測定杆の補助部材を移動させた状態を示す説明図である。
【図１２】この発明の測定杆の補助部材を移動させた状態を示す説明図である。
【図１３】従来の測定杆の継管を引き出して伸ばした状態を示す全体構成図である。
【図１４】従来の測定杆の最下部側の継管の連結部の分解斜視図である。
【図１５】従来の測定杆の継管どうしの連結状態を示す断面図である。
【符号の説明】
【００３０】
１Ａ  継管
１Ｂ  継管
１Ｃ  継管
１Ｄ  継管
１Ｅ  継管
５  補助部材
Ｓ  最下部側の継管の長さ
Ｍ  中央目盛
Ｍｂ  寸法目盛
Ｍｃ  寸法目盛
Ｍｄ  寸法目盛
Ｍｅ  寸法目盛
【図１】
2005181156.tif 000003
【図２】
2005181156.tif 000004
【図３】
2005181156.tif 000005
【図４】
2005181156.tif 000006
【図５】
2005181156.tif 000007
【図６】
2005181156.tif 000008
【図７】
2005181156.tif 000009
【図８】
2005181156.tif 000010
【図９】
2005181156.tif 000011
【図１０】
2005181156.tif 000012
【図１１】
2005181156.tif 000013
【図１２】
2005181156.tif 000014
【図１３】
2005181156.tif 000015
【図１４】
2005181156.tif 000016
【図１５】
2005181156.tif 000017